(57)【要約】  本発明は、特に飲料用の容器（１）に関し、容器は、底部（４）と、底部に隣接する第１の側壁（６）と、第１の側壁に隣接し、吐出口（１０）を有する開口部（８）とを有する、液体を受けるための本体（２）と、本体（２）の上に設置することができる、または本体の上にある、第２の側壁（１４）とこれに隣接するカバーフラップ（１６）とを有するカバーモジュール（１２）とを備え、カバーモジュールが本体の上にある場合、第１の側壁と第２の側壁とは、少なくとも一部において容器の外形を形成し、その直径は、容器の長手方向における少なくとも１箇所において最大となる。容器はさらに、特に収縮フィルム（２８）である少なくとも１つのフィルムを備え、フィルムは、少なくとも一部の領域において、いずれの場合も第１の側壁および第２の側壁の上にに置かれ、特に収縮して置かれ、上記の少なくとも１つの直径最大部分において一方側および他方側の上に延在する。
2014502237.tif 000002
【特許請求の範囲】
【請求項１】
特に飲料用の容器であって、
底部と、底部に隣接する第１の側壁と、第１の側壁に隣接し、吐出口を有する開口部とを有する、液体を受けるための本体と、
本体の上に設置することができる、または本体の上にある、第２の側壁とこれに隣接するカバーフラップとを有するカバーモジュールとを備え、カバーモジュールが本体の上にある場合、第１の側壁と第２の側壁とは、少なくとも一部において容器の外形を形成し、その直径は、容器の長手方向における少なくとも１箇所において最大となり、容器はさらに、
特に収縮フィルムである少なくとも１つのフィルムを備え、フィルムは、少なくとも一部の領域において、いずれの場合も第１の側壁および第２の側壁にの上に置かれ、特に収縮して置かれ、少なくとも１つの直径最大部分の一方側および他方側の上に延在する、容器。
【請求項２】
飲料容器である、請求項１に記載の容器。
【請求項３】
収縮フィルムは、カバーフラップまで最大部分としてカバーモジュールの方向に延在する、請求項１または２のいずれか１項に記載の容器。
【請求項４】
カバーモジュールは、特に失われることのない態様で、特に収縮フィルムであるフィルムによって本体に結合される、請求項１〜３のいずれか１項に記載の容器。
【請求項５】
別個の、たとえば再び閉じることができる、吐出口のための第１の閉止機構をさらに備える、請求項１〜４のいずれか１項に記載の容器。
【請求項６】
吐出口の第１の閉止機構は、フィルム、特に破壊可能なフィルム、特に金属および／またはプラスチックフィルムを含む、または上記のフィルムである、請求項５に記載の容器。
【請求項７】
第１の閉止機構のための破壊ユニットをさらに備える、請求項５または６のいずれか１項に記載の容器。
【請求項８】
カバーモジュールは、第１の閉止機構のための破壊ユニットを含む、請求項１〜７のいずれか１項に記載の容器。
【請求項９】
カバーフラップは、吐出口と対面する側に、吐出口のための特に一体の第２の閉止機構を含み、この第２の閉止機構は、カバーフラップが閉じられた時に吐出口を閉じる、請求項１〜８のいずれか１項に記載の容器。
【請求項１０】
カバーモジュールおよび／または本体は、少なくとも一部において、ガラス、プラスチック、セラミック、および／または金属から形成される、またはこれらの材料を含む、請求項１〜９のいずれか１項に記載の容器。
【請求項１１】
カバーモジュールは、第２の側壁に結合されるのが好ましい端部領域をさらに含む、請求項１〜１０のいずれか１項に記載の容器。
【請求項１２】
端部領域は、カバーモジュールが本体上にある場合に吐出口を囲う少なくとも１つの飲み補助部または飲み縁部を含む、請求項１１に記載の容器。
【請求項１３】
カバーフラップは、ヒンジ、好ましくは一体のヒンジによって動作可能に支持される、または支持されることができる、請求項１〜１２のいずれか１項に記載の容器。
【請求項１４】
カバーフラップは、開かれた状態および／または閉じられた状態で留めることができる、請求項１〜１３のいずれか１項に記載の容器。
【請求項１５】
開口部は、少なくとも１つの第１の取り付け要素を有し、カバーモジュールは、第１の取り付け要素を補完する少なくとも１つの第２の取り付け要素を有し、第１の取り付け要素と第２の取り付け要素との間の相互作用により、本体とカバーモジュールとを特に可逆的な態様で結合させることができる、請求項１〜１４のいずれか１項に記載の容器。
【請求項１６】
第１の取り付け要素および第２の取り付け要素は、互いを補完するねじを含む、請求項１〜１５に記載の容器。
【請求項１７】
第１の側壁および第２の側壁は、少なくとも一部の領域において、凹状の外形を形成し、少なくとも１つの直径最大部分を含むのが好ましい、請求項１〜１６のいずれか１項に記載の容器。
【請求項１８】
外形における直径最大部分は、第１の側壁の領域または第２の側壁の領域にあり、特に第１の側壁の領域にある、請求項１〜１７のいずれか１項に記載の容器。
【請求項１９】
第１の側壁および第２の側壁は、本質的に継ぎ目のない状態で互いに融合し合う、請求項１〜１８のいずれか１項に記載の容器。
【請求項２０】
第１の側壁は、特に周方向において、第２の側壁の一部、好ましくは第２の側壁の縁部を設置する、または設置することができる設置縁部を有する、請求項１〜１９のいずれか１項に記載の容器。
【請求項２１】
第１の閉止機構は、吐出口にねじ込むことができる、またはねじ込まれる、請求項５〜２０のいずれか１項に記載の容器。
【発明の詳細な説明】
【技術分野】
【０００１】
本発明は、特に飲料を保持するための容器、および特に飲料である液体を充填、貯留、輸送、および消費するための上記の容器の使用に関する。
【背景技術】
【０００２】
飲料用の容器は、上記の飲料を間接的に提供するための使用が拡大しているだけでなく、これらの容器のかなり多くは、直接的な飲料容器として機能している、すなわち、グラスまたはカップなどの補助なくして上記の容器から直接的に飲料を飲むことができる。この類の飲料容器は、たとえば、車での旅において使用されることが多く、対応するホルダーに収容することができる。特に、このような容器の要件の１つとして、便利に片手のみで使用することができる点が挙げられる。これは、最初に開ける際の手順、および確実かつ密接に再び閉じる際の両方に適用される。特にソフトドリンクなどの多くの飲料は、十分な清潔さおよび保存期間をもたらすために、低温殺菌または滅菌されなければならない。これは、このような飲料容器において通常生じるものである。提供される飲料に細菌が存在しないことを保証するためには、多くの場合において、無菌の状況下で充填を行う必要がある。食物に関するこれらの法的な要件は、使用される素材および製造プロセスに関して大きな課題を呈することが多い。
【発明の概要】
【発明が解決しようとする課題】
【０００３】
結果として、本発明の目的は、飲料容器の関連技術から知られる欠点を克服することにあり、特に、飲料などの液体を提供および／または充填する際に汚染を防ぐことのできる容器を提供することにあった。特に、本発明の目的は、たとえば低温殺菌の段階に頼ることなく、非常に清潔で、たとえば汚染のない飲料などの液体を提供することにあった。さらに、本発明の目的は、たとえば飲料などの充填された液体における潜在的な後の汚染または変化を、充填を完了した後にユーザが簡易な方法で知ることができる、このような容器を提供することにあった。
【課題を解決するための手段】
【０００４】
本発明の根拠を成す目的は、特に飲料用の容器によって結果的に達成される。容器は、底部と、底部に隣接する第１の側壁と、第１の側壁に隣接し、吐出口を有する開口部とを有する、液体を受けるための本体を含む。容器はさらに、本体の上に置くことができる、または本体の上にある、第２の側壁とこれに隣接するカバーフラップとを有するカバーモジュールを含む。カバーモジュールが本体の上にある場合、第１の側壁と第２の側壁とは、少なくとも一部において容器の外形を形成し、その直径は、容器の長手方向における少なくとも１箇所において最大となる。容器はさらに、特に収縮フィルムである少なくとも１つのフィルムを含む。フィルムは、少なくとも一部の領域において、いずれの場合も第１の側壁および第２の側壁の上に置かれ、特に収縮して置かれ、上記の少なくとも１つの直径最大部分の一方側および他方側の上に延在する。
【０００５】
第１の側壁および第２の側壁の少なくとも一部の領域を囲い、上記の壁の上に置かれ、これによって本体とカバーモジュールとを併せてしっかりと保持する適切なフィルムは、ポリエチレンフィルムおよびポリプロピレンフィルムを含むポリオレフィンフィルムなどの十分に知られた合成材料、またはポリスチレンフィルムもしくはスチレン重合体からなるフィルムから作ることができる。ある実施形態において、使用されるフィルムは、ゴム弾性特性プロファイルを有し、これにより、第１の側壁および第２の側壁の表面の全体にわたってフィルムを密接に貼ることが特に容易となる。本発明の容器に係るフィルムは、容器の周面の全体にわたって延在し、第１の側壁および第２の側壁の少なくとも一部を覆うのが好ましい。ここで、フィルムには、張力が加えられるのが好ましい。収縮フィルムは、本体の少なくとも一部およびカバーモジュールの少なくとも一部において、収縮フィルムを破壊することなく、互いに相対的に変移することができないように、または互いから外れないように、収縮するのが好ましい。適切な収縮フィルム、ならびにその製造方法および用途は、当業者に十分に知られている。たとえば、収縮フィルムは、ポリエチレンもしくはポリプロピレンなどのポリオレフィン、またはＰＶＣから作ることができる。ある設計において、特に収縮フィルムであるフィルムは、収縮した状態でほぼカバーフラップに至るまでカバーモジュールの方向に最大限に延在すると有利である。特に収縮フィルムであるフィルムがカバーフラップ上においても収縮している場合、容器の機能的な開口が不必要に複雑なものとなる。この結果、本発明に係る容器により、カバーモジュールは、失われることのない態様で、特に収縮フィルムであるフィルムによって本体に対して特に取り付けられる、または結合される。
【０００６】
本発明に係る容器は、たとえば、通常は飲料容器である。これらは、ソフトドリンク用の容器であってもよい。本発明に係る容器は、コーヒー、ココア、または紅茶飲料の保持、輸送、および消費のために使用することもできる。
【０００７】
好ましい設計において、本発明に係る容器には、別個の、たとえば再び閉じることができる、吐出口のための第１の閉止機構が設けられる。代替的に、または付加的に、畳まれた閉止モードのカバーフラップを用いて吐出口を閉じることももちろん可能である。ここで、カバーフラップは、吐出口と対面する側に、吐出口のための特に一体の第２の閉止機構を含み、この第２の閉止機構は、カバーフラップが閉じられた時に吐出口を閉じるのが特に好ましい。吐出口の第１の閉止機構は、たとえば、好ましくは金属および／またはプラスチックフィルムである、特に破壊可能なフィルムであるフィルムを含む、またはこのようなフィルムであることが好ましい。
【０００８】
特に有利な設計において、本発明に係る容器は、さらに第１の閉止機構のための破壊ユニットをさらに有する。ここで、特に有利な態様において、カバーモジュールには、破壊ユニットが設けられる。さらなる設計によれば、第１の閉止機構は、吐出口に対してねじ込むことができる、またはねじ込まれる。
【０００９】
さらなる実施形態において、開口部は、少なくとも１つの第１の取り付け要素を有し、カバーモジュールは、第１の取り付け要素を補完する少なくとも１つの第２の取り付け要素を有し、第１の取り付け要素と第２の取り付け要素との間の相互作用により、本体とカバーモジュールとを特に可逆的な態様で結合させることができる。
【００１０】
本発明に係る特に適切な容器において、第１の側壁および第２の側壁は、少なくとも一部において、たとえば木製のワイン樽で知られるような凹状の外形を形成し、好ましくは少なくとも１つの直径最大部分を含む。当然ながら、第１の側壁および第２の側壁によって形成されるこの外形は、対称である必要はない。概して、長手軸は、底部と底部に対向する吐出口とを有する容器について容易に定めることができる。これらの容器の側壁、すなわち第１の側壁および第２の側壁は、この仮想的な長手軸を通常は囲う。容器を通るこのような長手軸に基づき、容器の直径、または容器の直径の進展は、通常は底部から吐出口までにおいて定められる。ここで、たとえば、外形における少なくとも１つの直径最大部分が第１の側壁の領域または第２の側壁の領域に置かれるように規定することができる。外形が通常の形を有さない限りにおいて、および特に長手軸の位置における配列に応じて様々な直径の値が付与される場合において、外形の長手軸に沿った最大の直径を使用すると有利であることが証明された。少なくとも１つの直径最大部分を有する一方側および他方側に延在するフィルムは、本発明の意味では、底部の方向および吐出口の方向の両方に向けてこの少なくとも１つの直径最大部分から延在するフィルムである。
【００１１】
ここで、本発明に係る容器のこれらの設計は、第１の側壁と第２の側壁とによって形成される外形が第１の側壁の領域において最大の膨らみを有し、底部および吐出口の方向に向けて細くなる点において、特に扱いが容易であり、安全に操作できることが証明された。
【００１２】
カバーモジュールおよび／もしくは本体は、少なくとも所定の間隔で、ガラス、プラスチック、セラミック、および／もしくは金属から形成される、またはこれらの材料を含み得る。
【００１３】
本体またはカバーモジュールの第１の取り付け要素および第２の取り付け要素は、たとえば互いに補完し合うねじである。
【００１４】
カバーフラップは、開かれた状態および／または閉じられた状態で留めることができるように設計されるのが好ましい。この態様により、カバーフラップは、ユーザが飲んでいる間に妨げとならない位置において開かれた状態で固定することができる。
【００１５】
特に有利な設計において、ここでカバーフラップは、ヒンジ、好ましくは一体のヒンジによってカバーモジュールの構成要素として動作可能に支持される。
【００１６】
本発明に係る容器のさらなる設計において、カバーフラップは、第２の側壁に結合されるのが好ましい端部領域も含む。この端部領域は、カバーモジュールが本体上にある場合に吐出口を囲う少なくとも１つの飲み補助部または飲み縁部と併せて設計することができる。端部領域に設けられる飲み縁部は、出来る限り飲む手順を簡易かつ安全にする役割を持つ。
【００１７】
このタイプの容器は、第１および第２の側壁が本質的に互いに継ぎ目のない状態で融合するのが特に好ましい。
【００１８】
さらに、第１の側壁は、特に周方向において、第２の側壁の一部、好ましくは第２の側壁の縁部を設置する、または設置することができる設置縁部を有する。
【００１９】
本発明には、比較的簡易な方法で、製造時および後の使用時において容器内の特に飲料である液体が汚染されているか否かのほぼ総合的なチェックを行うことが可能な飲料容器を得ることができるという驚くべき発見が伴う。本発明に係る容器は、片手のみでの使用できるなど、使用が容易であり信頼性も高い。
【００２０】
本発明に係る容器は、無菌状態において、たとえばコーヒーまたはココアなどの飲料である液体で問題なく満たすことができる。後の低温滅菌は不要である。この目的のために、殺菌された本体は、無菌状態において、吐出口を介して特に飲料である液体で満たされる。この吐出口は、その後に閉じられ、または封止され、この態様で充填された本体は、無菌充填領域において、またはこの領域が取り外された後に、カバーモジュールを設けることができる、またはカバーモジュールに結合することができる。本発明に係る容器に対するフィルムの取り付け、特に収縮された収縮フィルムの取り付けは、充填物の影響下にあるとしても、無菌領域の外で行われるのが好ましい。このため、本発明に係る容器によって規定されるタイプの製造によって品質チェックが簡易に提供される。
【００２１】
本発明のさらなる特徴および利点は、概略的な図面を参照して本発明の好ましい実施形態を説明する以下の記載に含まれる。
【図面の簡単な説明】
【００２２】
【図１】本発明に係る第１の容器を概略的に示す側面図である。
【図２】本発明に係る第２の容器を概略的に示す側面図である。
【図３】本発明に係る第３の容器を概略的に示す側面図である。
【図４】本発明に係る容器の本体を概略的に示す上面図である。
【図５】畳まれて開かれた状態の本発明に係る容器のカバーモジュールを概略的に示す上面斜視図である。
【発明を実施するための形態】
【００２３】
図１は、本発明に係る容器１の実施形態を概略的に示す側面図であり、容器１は、液体を受けるための本体２を含み、本体２は、底部４と、第１の側壁６と、開口部８と、吐出口１０とを有する。開口部８は、その円周部において第１の側壁６と融合する。本体２の上には、カバーモジュール１２が取り付けられる。このカバーモジュール１２は、第２の側壁１４と、第２の側壁１４に対して一体のヒンジ１８を介して結合されるカバーフラップ１６とを含む。第２の側壁１４の縁部２０は、本体２の周縁部２２の上に立つ。示される実施形態において、吐出口１０の第２の閉止機構２４は、カバーフラップ１６と一体の構成要素である。カバーフラップが畳まれて閉められると吐出口１０内に入り込む第２の閉止機構２４は、吐出口の外側縁部の周囲に延びる封止縁部２６によって完成する。第１の側壁６および第２の側壁１２は、外方向に湾曲した外形を形成する。この外形の直径を底部４から吐出口２４まで延在する仮想の長手軸Ｘ（破線で示される）に沿って見た場合、これらの直径は、底部から（矢印で示される）所定の点まで見た場合、徐々に増大し、この点から直径は再び減少する、すなわち第１の側壁および第２の側壁によって形成される外形が再び細くなる。本発明に係る容器１には、第１の側壁および第２の側壁に対して収縮して置かれる収縮フィルム２８がさらに設けられる。この収縮フィルムは、最大の膨らみ部分の一方側および他方側の上に延在するが、示される実施形態においては、第２の側壁を越えない。すなわち、カバーフラップ１６は、収縮フィルム２８によって覆われないのが好ましい。
【００２４】
図２に係る容器１は、ここで、第１の側壁６よりも第２の側壁１２の方が外形においてはるかに大きな部分を占め、上記の外形が収縮フィルム２８によって覆われているという事実により、図１に示される実施形態とは異なる。この実施形態により、カバーモジュールが本体に対して簡易な態様、および失われることのない態様で確実に結合される。
【００２５】
図３は、カバーモジュール１２と本体２とを有する本発明に係る容器１の実施形態を概略的に示す側断面図である。カバーフラップ１６は、一体のヒンジ１８を介して第２の側壁１４に対して再び結合される。第２の側壁１４は、その低縁部２２が設置縁部２０に置かれる。示される実施形態において、吐出口１０は、フィルムの形態である第１の閉止機構３０によって閉じられる。これは、第１の使用法において、カバーフラップ１６と一体の破壊機構３２によって切り取られる。
【００２６】
図４は、フィルムの形態の第１の閉止機構３０によって閉じられる吐出口１０を有する、本発明に係る容器１の実施形態の本発明に係る本体２を概略的に示す上面斜視図である。吐出口１０は、第１の側壁６に隣接する開口ユニット８の構成要素である。
【００２７】
図５は、本発明に係る容器の実施形態におけるカバーモジュール１２を概略的に示す上面図である。カバーフラップ１６は、畳まれて開いた状態で留められ、第２の側壁１４に対して一体のヒンジを介して結合される。カバーモジュール１２は、吐出口１０の上方に位置する、周方向の飲み縁部または周方向の飲み補助部３４を有する端部領域３２をさらに有する。破壊ユニット３６は、図５にも見られ、親指、すなわち片手のみで操作して、吐出口の保護フィルム３０の形態の第１の閉止機構（図示せず）を貫通させることができる。
【００２８】
上の記載、請求項、および図面に開示される特徴は、様々な実施形態における本発明の実現のために、個別およびこれらの組み合わせにより必須のものとなり得る。
【図１】
2014502237.tif 000003
【図２】
2014502237.tif 000004
【図３】
2014502237.tif 000005
【図４】
2014502237.tif 000006
【図５】
2014502237.tif 000007
【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
特に飲料容器であって、
底部と、底部に隣接する第１の側壁と、第１の側壁に隣接し、吐出口を有する開口部とを有する、液体を受けるための本体と、
本体の上に設置することができる、または本体の上にある、第２の側壁とこれに隣接するカバーフラップとを有するカバーモジュールとを備え、カバーモジュールが本体の上にある場合、第１の側壁と第２の側壁とは、少なくとも一部において容器の外形を形成し、その直径は、容器の長手方向における少なくとも１箇所において最大となり、容器はさらに、
少なくとも１つのフィルムを備え、フィルムは、少なくとも一部の領域において、いずれの場合も第１の側壁および第２の側壁の上に置かれ、少なくとも１つの直径最大部分の一方側および他方側の上に延在し、カバーモジュールは、特に失われることのない態様でフィルムによって本体に結合され、容器は、吐出口のための別個の第１の閉止機構をさらに備え、吐出口の第１の閉止機構は破壊可能なフィルム、特に金属および／またはプラスチックフィルムを含む、または上記のフィルムであり、カバーモジュールは、第１の閉止機構のための破壊ユニットを含む、容器。
【請求項２】
フィルムは収縮フィルムであり、収縮フィルムは、少なくとも一部の領域において、いずれの場合も第１の側壁および第２の側壁の上に置かれる、請求項１に記載の容器。
【請求項３】
収縮フィルムは、カバーフラップまで最大部分としてカバーモジュールの方向に延在する、請求項２に記載の容器。
【請求項４】
カバーフラップは、吐出口と対面する側に、吐出口のための特に一体の第２の閉止機構を含み、この第２の閉止機構は、カバーフラップが閉じられた時に吐出口を閉じる、請求項１〜３のいずれか１項に記載の容器。
【請求項５】
カバーモジュールおよび／または本体は、少なくとも一部において、ガラス、プラスチック、セラミック、および／または金属から形成される、またはこれらの材料を含む、請求項１〜４のいずれか１項に記載の容器。
【請求項６】
カバーモジュールは、第２の側壁に結合されるのが好ましい端部領域をさらに含む、請求項１〜５のいずれか１項に記載の容器。
【請求項７】
端部領域は、カバーモジュールが本体上にある場合に吐出口を囲う少なくとも１つの飲み補助部または飲み縁部を含む、請求項６に記載の容器。
【請求項８】
カバーフラップは、ヒンジ、好ましくは一体のヒンジによって動作可能に支持される、または支持されることができる、請求項１〜７のいずれか１項に記載の容器。
【請求項９】
カバーフラップは、開かれた状態および／または閉じられた状態で留めることができる、請求項１〜８のいずれか１項に記載の容器。
【請求項１０】
開口部は、少なくとも１つの第１の取り付け要素を有し、カバーモジュールは、第１の取り付け要素を補完する少なくとも１つの第２の取り付け要素を有し、第１の取り付け要素と第２の取り付け要素との間の相互作用により、本体とカバーモジュールとを特に可逆的な態様で結合させることができる、請求項１〜９のいずれか１項に記載の容器。
【請求項１１】
第１の取り付け要素および第２の取り付け要素は、互いを補完するねじを含む、請求項１〜１０に記載の容器。
【請求項１２】
第１の側壁および第２の側壁は、少なくとも一部の領域において、凹状の外形を形成し、少なくとも１つの直径最大部分を含むのが好ましい、請求項１〜１１のいずれか１項に記載の容器。
【請求項１３】
外形における直径最大部分は、第１の側壁の領域または第２の側壁の領域にあり、特に第１の側壁の領域にある、請求項１〜１２のいずれか１項に記載の容器。
【請求項１４】
第１の側壁および第２の側壁は、本質的に継ぎ目のない状態で互いに融合し合う、請求項１〜１３のいずれか１項に記載の容器。
【請求項１５】
第１の側壁は、特に周方向において、第２の側壁の一部、好ましくは第２の側壁の縁部を設置する、または設置することができる設置縁部を有する、請求項１〜１４のいずれか１項に記載の容器。
【請求項１６】
第１の閉止機構は、吐出口にねじ込むことができる、またはねじ込まれる、請求項１〜１５のいずれか１項に記載の容器。
【国際調査報告】
2014502237.tif 000008
2014502237.tif 000009
2014502237.tif 000010
2014502237.tif 000011
2014502237.tif 000012
2014502237.tif 000013